(57)【要約】  【課題】非接触式端末を用いて商品を購入できる自動販売機に関して、非接触式端末による飲料販売の際に無料販売を行う。  【解決手段】非接触式端末データ読込み手段１と、無料販売データ記憶手段２と、販売可能判定手段３と、商品選択手段４と、商品搬出手段５と演算制御部６ａとしたことにより、非接触式端末データ読込み手段１から無料販売を実施するためのデータを受信した場合、演算制御部６ａは無料販売データ記憶手段２に記憶させ、そのデータに基づき販売可能判定手段３により飲料の販売が可能なコラムの商品選択手段４が操作されることで、商品搬出手段５に指令を出して商品を搬出して無料販売を行うことができ、商品購入者の購買意欲を高め販売促進を行うことができる。【選択図】図１
2006338576.tif 000002
【特許請求の範囲】
【請求項１】
非接触式端末のデータを読込む非接触式端末データ読込み手段から無料販売を実施するためのデータを受信した場合、そのデータを記憶する無料販売データ記憶手段に記憶されているデータに基づき、販売可能かどうかを判定する販売可能判定手段を備え、前記販売可能判定手段にて販売可能となったコラムの商品選択手段が操作されることで、商品を搬出して無料販売を行うことを特徴とした自動販売機の制御装置。
【請求項２】
非接触式端末読込み手段から無料販売を実施する時刻データを受信した場合、前記時刻データを記憶しておく無料販売時刻記憶手段と、前記無料販売時刻記憶手段のデータと現在時刻を比較して無料販売を実施するかどうかを判定する無料販売時刻判定手段を備え、前記無料販売時刻判定手段にて無料販売を実施するかどうかを判定して無料販売が可能な時刻のときのみ無料販売を行うことを特徴とした請求項１に記載の自動販売機の制御装置。
【請求項３】
非接触式端末読込み手段から無料販売で購入可能な残本数のデータを受信した場合、そのデータを記憶しておく購入可能残本数記憶手段と、無料販売終了時に前記購入可能残本数記憶手段のデータから無料販売を行った本数を引いたデータを非接触式端末に書込む非接触式端末書込み手段を備え、無料販売終了後に前記非接触式端末書込み手段にて前記購入可能残本数記憶手段のデータから無料販売を行った本数を引いたデータを非接触式端末に書込むことを特徴とした請求項２に記載の自動販売機の制御装置。
【請求項４】
非接触式端末読込み手段のみで飲料を搬出するための強制搬出データを受信した場合、そのデータを記憶しておく強制搬出データ記憶手段を備え、前記販売可能判定手段にて無料販売が可能となった場合、前記強制搬出データ記憶手段のデータに基づき、選択ボタンの操作なしに強制的に飲料搬出を行い、無料販売を行うことを特徴とした請求項３に記載の自動販売機の制御装置。
【請求項５】
選択ボタンを表示させる選択ボタン表示出力手段を備え、非接触式端末データ読込み手段から無料販売を実施するためのデータを受信した場合、前記選択ボタン表示出力手段にて出力し、前記選択ボタンを点灯表示させて商品購入者に無料販売対象コラムを知らせることを特徴とした請求項１から４のいずれか一項に記載の自動販売機の制御装置。
【発明の詳細な説明】
【技術分野】
【０００１】
本発明は、自動販売機における制御装置に関するものである。
【背景技術】
【０００２】
従来の自動販売機における制御装置には、非接触式端末を用いて自動販売機の商品を購入する際の操作が容易にかつ確実に行える制御装置について開示したもの（例えば、特許文献１参照）がある。
【特許文献１】特開２００４−１６４０８９号公報
【発明の開示】
【発明が解決しようとする課題】
【０００３】
しかしながら、前記従来の構成では、非接触式端末を利用しての無料販売ができないため、商品購入者の非接触式端末による商品購買意欲を高められず販売促進につながりにくいという課題を有していた。
【０００４】
本発明は、前記従来の課題を解決するもので、非接触式端末の無料販売を実施するためのデータを自動販売機が読込むことにより無料販売を行うことで商品購入者の購買意欲を高めることを目的としている。
【課題を解決するための手段】
【０００５】
上記従来の課題を解決するために、本発明の自動販売機の制御装置は、非接触式端末の無料販売を実施するためのデータを自動販売機が読込み、そのデータに基づき無料販売を行うものである。
【発明の効果】
【０００６】
本発明の自動販売機の制御装置は、非接触式端末の無料販売を実施するためのデータを自動販売機が読込み、そのデータに基づき無料販売を行うことができ、商品購入者の購買意欲を高め販売促進を行うことができる。
【発明を実施するための最良の形態】
【０００７】
請求項１に記載の発明は、非接触式端末のデータを読込む非接触式端末データ読込み手段から無料販売を実施するためのデータを受信した場合、そのデータを記憶する無料販売データ記憶手段に記憶されているデータに基づき、販売可能かどうかを判定する販売可能判定手段を備え、前記販売可能判定手段にて販売可能となったコラムの商品選択手段が操作されることで、商品を搬出して無料販売を行うことができる。
【０００８】
請求項２に記載の発明は、請求項１に記載の発明の非接触式端末読込み手段から無料販売を実施する時刻データを受信した場合、前記時刻データを記憶しておく無料販売時刻記憶手段と、前記無料販売時刻記憶手段のデータと現在時刻を比較して無料販売を実施するかどうかを判定する無料販売時刻判定手段を備え、前記無料販売時刻判定手段にて無料販売を実施するかどうかを判定して無料販売が可能な時刻のときのみ無料販売を行うことができる。
【０００９】
請求項３に記載の発明は、請求項２に記載の発明の非接触式端末読込み手段から無料販売で購入可能な残本数のデータを受信した場合、そのデータを記憶しておく購入可能残本数記憶手段と、無料販売終了時に前記購入可能残本数記憶手段のデータから無料販売を行った本数を引いたデータを非接触式端末に書込む非接触式端末書込み手段を備え、無料販売終了後に前記非接触式端末書込み手段にて前記購入可能残本数記憶手段のデータから無料販売を行った本数を引いたデータを非接触式端末に書込んで無料販売を行うことができる。
【００１０】
請求項４に記載の発明は、請求項３に記載の発明の非接触式端末読込み手段のみで飲料を搬出するための強制搬出データを受信した場合、そのデータを記憶しておく強制搬出データ記憶手段を備え、前記販売可能判定手段にて無料販売が可能となった場合、前記強制搬出データ記憶手段のデータに基づき、選択ボタンの操作なしに強制的に飲料搬出を行い、無料販売を行うことができる。
【００１１】
請求項５に記載の発明は、請求項１から４のいずれか一項に記載の発明の選択ボタンを表示させる選択ボタン表示出力手段を備え、非接触式端末データ読込み手段から無料販売を実施するためのデータを受信した場合、前記選択ボタン表示出力手段にて出力し、前記選択ボタンを点灯表示させて商品購入者に無料販売対象コラムを知らせることができる。
【００１２】
以下、本発明の実施の形態について、図面を参照しながら説明するが、従来例または先に説明した実施の形態と同一構成については同一符号を付して、その詳細な説明は省略する。なおこの実施の形態によってこの発明が限定されるものではない。
【００１３】
（実施の形態１）
図１は、本発明の実施の形態１による自動販売機の制御装置の機能ブロック図である。図２は、同実施の形態の自動販売機の制御装置の動作を示すフローチャートである。
【００１４】
図１において、非接触式端末データ読込み手段１は非接触式端末のデータを読込み、無料販売データ記憶手段２は非接触式端末データ読込み手段１からの無料販売を実施するためのデータを記憶し、販売可能判定手段３は無料販売データ記憶手段２に記憶されているデータに基づき、無料販売を行うコラムが売切れ等でなく販売可能かどうかを判定し、商品選択手段４は購入商品の選択をし、商品搬出手段５は購入商品の搬出を行う。演算制御部６ａは非接触式端末データ読込み手段１から無料販売を実施するためのデータを受信した場合、無料販売データ記憶手段２に記憶させる。
【００１５】
そして無料販売データ記憶手段２に記憶されているデータに基づき、販売可能判定手段３にて販売可能となったコラムの商品選択手段４が操作されることで、商品搬出手段５により商品を搬出する。
【００１６】
以上のように構成された自動販売機の制御装置について、以下その動作を説明する。
【００１７】
非接触式端末データ読込み手段１にて無料販売を実施するためのデータが読込まれたかどうかを確認する（ＳＴＥＰ１）。データの読込みがなければ終了、読込まれていれば無料販売データ記憶手段２に記憶させる（ＳＴＥＰ２）。販売可能判定手段３にて無料販売を行うコラムが売切れ等でなく販売可能かどうかを判定し（ＳＴＥＰ３）、無料販売対象コラムがなければ終了、無料販売可能コラムがあれば購入者の商品選択を待つ。商品選択手段４にて商品が選択された場合（ＳＴＥＰ４）、商品搬出手段５に指令を出して商品を搬出する（ＳＴＥＰ５）。
【００１８】
以上のように本実施の形態の自動販売機の制御装置によれば、非接触式端末の無料販売を実施するためのデータを自動販売機が読込み、そのデータに基づき価格を無料として販売することができる。
【００１９】
（実施の形態２）
図３は、本発明の実施の形態２による自動販売機の制御装置の機能ブロック図である。図４は、同実施の形態の自動販売機の制御装置の動作を示すフローチャートである。なお実施の形態１と同一構成のものは、同一符号を付してその詳細な説明を省略する。
【００２０】
図３において、無料販売時刻記憶手段７は非接触式端末データ読込み手段１から無料販売を実施する時刻のデータを受信した場合、そのデータを記憶しておく。無料販売時刻判定手段８は無料販売時刻記憶手段７のデータと現在時刻を比較して無料販売を実施するかどうかを判定する。
【００２１】
演算制御部６ｂは非接触式端末データ読込み手段１から無料販売を実施するためのデータを受信した場合、無料販売データ記憶手段２に記憶させる。無料販売時刻データを受信した場合、無料販売時刻記憶手段７に記憶させ、無料販売時刻判定手段８にて無料販売が可能な時刻かどうかを判定し、無料販売が可能な場合、無料販売データ記憶手段２に記憶されているデータに基づき、販売可能判定手段３にて販売可能となったコラムの商品選択手段４が操作されることで、商品搬出手段５により商品を搬出する。
【００２２】
以上のように構成された自動販売機の制御装置について、以下その動作を説明する。
【００２３】
非接触式端末データ読込み手段１にて無料販売を実施するためのデータが読込まれたかどうかを確認する（ＳＴＥＰ６）。データの読込みがなければ終了、読込まれていれば無料販売データは無料販売データ記憶手段２に、無料販売時刻データは無料販売時刻記憶手段７に記憶させる（ＳＴＥＰ７）。無料販売時刻判定手段８にて無料販売時刻記憶手段７のデータと現在時刻を比較し（ＳＴＥＰ８）、無料販売時刻であれば、販売可能判定手段３にて無料販売を行うコラムが売切れ等でなく販売可能かどうかを判定し（ＳＴＥＰ９）、無料販売対象コラムがなければ終了、無料販売可能コラムがあれば購入者の商品選択を待つ。商品選択手段４にて商品が選択された場合（ＳＴＥＰ１０）、商品搬出手段５に指令を出して商品を搬出する（ＳＴＥＰ１１）。
【００２４】
以上のように本実施の形態の自動販売機の制御装置によれば、非接触式端末の無料販売を実施するためのデータを自動販売機が読込み、無料販売時刻のときのみ無料販売を行うことができる。
【００２５】
（実施の形態３）
図５は、本発明の実施の形態３による自動販売機の制御装置の機能ブロック図である。図６は、同実施の形態の自動販売機の制御装置の動作を示すフローチャートである。なお実施の形態２と同一構成のものは、同一符号を付してその詳細な説明を省略する。
【００２６】
図５において、購入可能残本数記憶手段９は非接触式端末読込み手段１から無料販売で購入可能な残本数のデータを受信した場合、そのデータを記憶し、非接触式端末書込み手段１０は無料販売終了時に購入可能残本数記憶手段９のデータから無料販売を行った本数を引いたデータを非接触式端末に書込む。演算制御部６ｃは非接触式端末データ読込み手段１から無料販売を実施するためのデータを受信した場合、無料販売データは無料販売データ記憶手段２に、無料販売時刻データは無料販売時刻記憶手段７に、無料販売で購入可能な残本数のデータは購入可能残本数記憶手段９に記憶する。
【００２７】
無料販売時刻判定手段８にて無料販売が可能な時刻かどうかを判定し、無料販売が可能な時刻の場合、購入可能残本数記憶手段９のデータを確認し購入可能な場合、無料販売データ記憶手段２に記憶されているデータに基づき、販売可能判定手段３にて販売可能となったコラムの商品選択手段４が操作されることで、商品搬出手段５により商品を搬出する。搬出終了後、非接触式端末書込み手段１０にて購入可能残本数記憶手段９のデータから無料販売を行った本数を引いたデータを非接触式端末に書込む。
【００２８】
以上のように構成された自動販売機の制御装置について、以下その動作を説明する。
【００２９】
非接触式端末データ読込み手段１にて無料販売を実施するためのデータが読込まれたかどうかを確認する（ＳＴＥＰ１２）。データの読込みがなければ終了、読込まれていれば無料販売データは無料販売データ記憶手段２に、無料販売時刻データは無料販売時刻記憶手段７に、無料販売で購入可能な残本数のデータは購入可能残本数記憶手段９に記憶させる（ＳＴＥＰ１３）。無料販売時刻判定手段８にて無料販売時刻記憶手段７のデータと現在時刻を比較し（ＳＴＥＰ１４）、無料販売時刻であれば購入可能残本数記憶手段９のデータを確認する（ＳＴＥＰ１５）。
【００３０】
購入可能な場合、販売可能判定手段３にて無料販売を行うコラムが売切れ等でなく販売可能かどうかを判定し（ＳＴＥＰ１６）、無料販売対象コラムがなければ終了、無料販売可能コラムがあれば購入者の商品選択を待つ。商品選択手段４にて商品が選択された場合（ＳＴＥＰ１７）、商品搬出手段５に指令を出して商品を搬出する（ＳＴＥＰ１８）。搬出終了後、非接触式端末書込み手段１０にて購入可能残本数記憶手段９のデータから無料販売を行った本数を引いたデータを非接触式端末に書込む（ＳＴＥＰ１９）。
【００３１】
以上のように本実施の形態の自動販売機の制御装置によれば、非接触式端末の無料販売データを自動販売機が読込み、無料販売での購入本数を制限することができる。
【００３２】
（実施の形態４）
図７は、本発明の実施の形態４による自動販売機の制御装置の機能ブロック図である。図８は、同実施の形態の自動販売機の制御装置の動作を示すフローチャートである。なお実施の形態３と同一構成のものは、同一符号を付してその詳細な説明を省略する。
【００３３】
図７において、強制搬出データ記憶手段１１は非接触式端末読込み手段１から選択ボタンの操作なしに飲料を搬出するための強制搬出データを受信した場合、そのデータを記憶しておく。演算制御部６ｄは非接触式端末データ読込み手段１から無料販売を実施するためのデータを受信した場合、無料販売データは無料販売データ記憶手段２に、無料販売時刻データは無料販売時刻記憶手段７に、無料販売で購入可能な残本数のデータは購入可能残本数記憶手段９に選択ボタンの操作なしに飲料を搬出するための強制搬出データは強制搬出データ記憶手段１１に記憶する。
【００３４】
無料販売時刻判定手段８にて無料販売が可能な時刻かどうかを判定し、無料販売が可能な時刻の場合、購入可能残本数記憶手段９のデータを確認し購入可能な場合、無料販売データ記憶手段２に記憶されているデータに基づき、販売可能判定手段３にて販売可能となったコラムが存在すれば、強制搬出データ記憶手段１１のデータを確認し、強制搬出の場合は商品選択を待たずに商品搬出手段５により商品を搬出する。
【００３５】
搬出終了後、非接触式端末書込み手段１０にて購入可能残本数記憶手段９のデータから無料販売を行った本数を引いたデータを非接触式端末に書込む。
【００３６】
以上のように構成された自動販売機の制御装置について、以下その動作を説明する。
【００３７】
非接触式端末データ読込み手段１にて無料販売を実施するためのデータが読込まれたかどうかを確認する（ＳＴＥＰ２０）。データの読込みがなければ終了、読込まれていれば無料販売データは無料販売データ記憶手段２に、無料販売時刻データは無料販売時刻記憶手段７に、無料販売で購入可能な残本数のデータは購入可能残本数記憶手段９に、選択ボタンの操作なしに飲料を搬出するための強制搬出データは強制搬出データ記憶手段１１に記憶させる（ＳＴＥＰ２１）。
【００３８】
無料販売時刻判定手段８にて無料販売時刻記憶手段７のデータと現在時刻を比較し（ＳＴＥＰ２２）、無料販売時刻であれば購入可能残本数記憶手段９のデータを確認する（ＳＴＥＰ２３）。購入可能な場合、販売可能判定手段３にて無料販売を行うコラムが売切れ等でなく販売可能かどうかを判定し（ＳＴＥＰ２４）、無料販売対象コラムがなければ終了、無料販売可能コラムがあれば強制搬出データ記憶手段１１のデータを確認し（ＳＴＥＰ２５）、強制搬出の場合は商品選択を待たずに商品搬出手段５により商品を搬出する。強制搬出でない場合は商品選択を待つ（ＳＴＥＰ２６）。
【００３９】
商品選択手段４にて商品が選択された場合、商品搬出手段５に指令を出して商品を搬出する（ＳＴＥＰ２７）。搬出終了後、非接触式端末書込み手段１０にて購入可能残本数記憶手段９のデータから無料販売を行った本数を引いたデータを非接触式端末に書込む（ＳＴＥＰ２８）。
【００４０】
以上のように本実施の形態の自動販売機の制御装置によれば、非接触式端末の無料販売データを自動販売機が読込み、無料販売を行いたい飲料を商品選択せずに搬出させることができる。
【００４１】
（実施の形態５）
図９は、本発明の実施の形態５による自動販売機の制御装置の機能ブロック図である。図１０は、同実施の形態の自動販売機の制御装置の動作を示すフローチャートである。なお実施の形態４と同一構成のものは、同一符号を付してその詳細な説明を省略する。
【００４２】
図９において、選択ボタン表示出力手段１２は選択ボタンに接続されたランプに出力し点灯させる。演算制御部６ｅは非接触式端末データ読込み手段１から無料販売を実施するためのデータを受信した場合、無料販売データは無料販売データ記憶手段２に、無料販売時刻データは無料販売時刻記憶手段７に、無料販売で購入可能な残本数のデータは購入可能残本数記憶手段９に選択ボタンの操作なしに飲料を搬出するための強制搬出データは強制搬出データ記憶手段１１に記憶する。
【００４３】
無料販売時刻判定手段８にて無料販売が可能な時刻かどうかを判定し、無料販売が可能な時刻の場合、購入可能残本数記憶手段９のデータを確認し購入可能な場合、無料販売データ記憶手段２に記憶されているデータに基づき、販売可能判定手段３にて販売可能となったコラムが存在すれば、選択ボタンランプを選択ボタン表示出力手段１２にて点灯させ、強制搬出データ記憶手段１１のデータを確認し、強制搬出の場合は商品選択を待たずに商品搬出手段５により商品を搬出する。搬出終了後、非接触式端末書込み手段１０にて購入可能残本数記憶手段９のデータから無料販売を行った本数を引いたデータを非接触式端末に書込む。
【００４４】
以上のように構成された自動販売機の制御装置について、以下その動作を説明する。
【００４５】
非接触式端末データ読込み手段１にて無料販売を実施するためのデータが読込まれたかどうかを確認する（ＳＴＥＰ２９）。データの読込みがなければ終了、読込まれていれば無料販売データは無料販売データ記憶手段２に、無料販売時刻データは無料販売時刻記憶手段７に、無料販売で購入可能な残本数のデータは購入可能残本数記憶手段９に、選択ボタンの操作なしに飲料を搬出するための強制搬出データは強制搬出データ記憶手段１１に記憶させる（ＳＴＥＰ３０）。無料販売時刻判定手段８にて無料販売時刻記憶手段７のデータと現在時刻を比較し（ＳＴＥＰ３１）、無料販売時刻であれば購入可能残本数記憶手段９のデータを確認する（ＳＴＥＰ３２）。
【００４６】
購入可能な場合、販売可能判定手段３にて無料販売を行うコラムが売切れ等でなく販売可能かどうかを判定し（ＳＴＥＰ３３）、無料販売対象コラムがなければ終了、無料販売可能コラムがあれば、選択ボタンランプを選択ボタン表示出力手段１２にて点灯させ（ＳＴＥＰ３４）、強制搬出データ記憶手段１１のデータを確認し（ＳＴＥＰ３５）、強制搬出の場合は商品選択を待たずに商品搬出手段５により商品を搬出する。強制搬出でない場合は商品選択を待つ（ＳＴＥＰ３６）。
【００４７】
商品選択手段４にて商品が選択された場合、商品搬出手段５に指令を出して商品を搬出する（ＳＴＥＰ３７）。搬出終了後、非接触式端末書込み手段１０にて購入可能残本数記憶手段９のデータから無料販売を行った本数を引いたデータを非接触式端末に書込む（ＳＴＥＰ３８）。
【００４８】
以上のように本実施の形態の自動販売機の制御装置によれば、無料販売の際に選択ボタン表示出力手段１２にて出力し、選択ボタンランプを点灯させて商品購入者に無料販売対象コラムを知らせることができる。
【産業上の利用可能性】
【００４９】
以上のように、本発明に係る自動販売機の制御装置は、非接触式端末の無料販売を実施するためのデータを自動販売機が読込み、そのデータに基づき無料販売を行うことができ、商品購入者の購買意欲を高め販売促進を行うことができるので、商品販売用の自動販売機だけでなく種々のサービス提供用の機器にも適用できる。
【図面の簡単な説明】
【００５０】
【図１】本発明による自動販売機の制御装置の実施の形態１の機能ブロック図
【図２】同実施の形態による自動販売機の制御装置の動作を示すフローチャート
【図３】本発明による自動販売機の制御装置の実施の形態２の機能ブロック図
【図４】同実施の形態による自動販売機の制御装置の動作を示すフローチャート
【図５】本発明による自動販売機の制御装置の実施の形態３の機能ブロック図
【図６】同実施の形態による自動販売機の制御装置の動作を示すフローチャート
【図７】本発明による自動販売機の制御装置の実施の形態４の機能ブロック図
【図８】同実施の形態による自動販売機の制御装置の動作を示すフローチャート
【図９】本発明による自動販売機の制御装置の実施の形態５の機能ブロック図
【図１０】同実施の形態による自動販売機の制御装置の動作を示すフローチャート
【符号の説明】
【００５１】
１    非接触式端末データ読込み手段
２    無料販売データ記憶手段
３    販売可能判定手段
４    商品選択手段
５    商品搬出手段
６ａ，６ｂ，６ｃ，６ｄ，６ｅ  演算制御部
７    無料販売時刻記憶手段
８    無料販売時刻判定手段
９    購入可能残本数記憶手段
１０  非接触式端末書込み手段
１１  強制搬出データ記憶手段
１２  選択ボタン表示出力手段
【図１】
2006338576.tif 000003
【図２】
2006338576.tif 000004
【図３】
2006338576.tif 000005
【図４】
2006338576.tif 000006
【図５】
2006338576.tif 000007
【図６】
2006338576.tif 000008
【図７】
2006338576.tif 000009
【図８】
2006338576.tif 000010
【図９】
2006338576.tif 000011
【図１０】
2006338576.tif 000012